【手続補正書】
【提出日】平成21年12月14日(2009.12.14)
【手続補正１】
【補正対象書類名】明細書
【補正対象項目名】００１３
【補正方法】変更
【補正の内容】
【００１３】
注射針ハブ４のレセプタクル端６は細長いシリンダ部１４を備える。シリンダ部１４では、製造工程で特殊な形態が確立されて、注射針アセンブリ２に特有の特殊なまた所定の形態が実現される。図示される実施形態では、レセプタクル端６の相互に反対側の面に２つの突起１６ａ、１６ｂが形成される。これらの突起１６ａ、１６ｂは、レセプタクル端６の断面径に加えて、注射針アセンブリ２の注射針ハブ４で所定の形態を規定する。細長いシリンダ部１４の外周壁の厚みは、注射針ハブ４の形態のさらなる特性を実現するために必要な大きさに規定される。すなわち、外周壁の厚みは、レセプタクル端６に開口１８の断面を形成し、注射針ハブ４の中に貫通路を形成する。開口１８は、アダプタ２０のレセプタクル端を受け入れるのに十分な径を有する。アダプタ２０のレセプタクル端には注射針アセンブリ２の注射針ハブ４が結合される。突起１６ａ、１６ｂは、開口１８から特定の距離で注射針ハブ４のレセプタクル端６に形成される。こうして突起１６ａ、１６ｂは、アダプタ２０、より具体的には、後述のレセプタクル端およびアダプタ２０のシュラウド部品との適切な結合を確立する形状の一部として形成される。
【手続補正２】
【補正対象書類名】明細書
【補正対象項目名】００１４
【補正方法】変更
【補正の内容】
【００１４】
図１にさらに示されるように、アダプタ２０はもう１つのレセプタクル端２４を有する。レセプタクル端２４は、従来のルアー端と同様に、例えばシリンジ２８といった液体容器の従来のルアー端に結合されるように形作られる。液体容器に代えて、ルアー端２６といったルアーに適合する端部を有する液体線も想定される。シリンジ２８のルアー端２６は、アダプタ２０のレセプタクル端２４に結合されることができるものの、注射針アセンブリ２のレセプタクル端６には結合されることができない。シリンジ２８のルアー端２６は、雄のレセプタクル端２９を有し、ねじ切り点線３０で示されるように内部でねじ切りされる。
【手続補正３】
【補正対象書類名】明細書
【補正対象項目名】００１６
【補正方法】変更
【補正の内容】
【００１６】
図３Ａおよび３Ｂは注射針アセンブリの側面図である。図３Ａに示されるように、注射針アセンブリ２の注射針ハブ４のレセプタクル端６はキャップ３９で覆われる。キャップ３９から細いカニューレ（図示されず）が延びる。注射針１０が患者に差し込まれるとき、カニューレは注射針１０内に挿入されて注射針の開口１０ａの芯抜や閉塞を回避する。注射針１０が適切に患者に差し込まれた後にのみ、ユーザはキャップ３９を取り外す。その結果、カニューレは注射針１０内に挿入される。いずれの場合も、液体は、注射針１０の先端で開口１０ａを介して注射針１０および患者の間を移動することができる。
【手続補正４】
【補正対象書類名】明細書
【補正対象項目名】００１７
【補正方法】変更
【補正の内容】
【００１７】
本発明に係るアダプタ２０のアダプタコア３２は、図４Ａ〜図４Ｆに最もよく示されるように、細長い円錐形の第１レセプタクル端３６と、シリンダ状の第２レセプタクル端２４とを有する。第２レセプタクル端２４の端部には従来のルアー接続を確立するフランジ２４ａが形成される。図４Ａ、図４Ｄおよび図４Ｆに最もよく示されるように、アダプタコア３２のほぼ中間領域に２つの一体つめ３８が形成される。一体つめ３８はアダプタコア３２の外周面すなわち外周壁に形成される。図４Ｆに最もよく示されるように、これらの各一体つめ３８は半傾斜部３８ａおよび先端止め３８ｂを有する。図４Ｂに最もよく示されるように、貫通路４０は、第１レセプタクル端３６の開口から第２レセプタクル端２４の開口まで延びる。図１に示されるように、アダプタコア３２がシュラウド３４に嵌め合わせられるとき（逆に言えば、シュラウド３４がアダプタコア３２周りに嵌め合わせられるとき）、第１レセプタクル端３６と第２レセプタクル端２４とを分離するフランジ４２は嵌め合わせを補強する。テーパ状の円周部４４の働きで、アダプタコア３２は、シュラウド３４に差し込まれることができ、シュラウド３４内に固いながらも回転自在に保持されることができる。
【手続補正５】
【補正対象書類名】明細書
【補正対象項目名】００１８
【補正方法】変更
【補正の内容】
【００１８】
図５Ａ〜図５Ｇに示されるように、シュラウド３４は第１開口４６および第２開口４８を有する。第１開口４６は、前述のように、注射針アセンブリ２のレセプタクル端６の形態に補完的な形態を確立するように仕上げられる。特に、図５Ｂに示されるように、シュラウド３４の第１開口４６は円形状に規定される。第１開口４６の内面には２つの入口すなわち溝４６ａが形成される。溝４６ａは注射針ハブ４の対応の突起１６の通過を許容する。シュラウド３４には内側筋４９が形成されることから、注射針ハブ４のレセプタクル端６が第１開口４６にひとたび挿入されると、注射針ハブ４の突起１６はシュラウド３４の内側筋４９に沿って移動し、開口１８を介して第１レセプタクル端６はアダプタコア３２の第２レセプタクル端３６に一層十分に結合される。こうして注射針ハブ４およびシュラウド３４の相対回転に基づき注射針ハブ４はシュラウド３４にしっかり固定される。注射針ハブ４がシュラウド３４にひとたび完全にねじ込まれると、注射針ハブ４はアダプタ２０にしっかりと結合される。
【手続補正６】
【補正対象書類名】明細書
【補正対象項目名】００１９
【補正方法】変更
【補正の内容】
【００１９】
アダプタコア３２は、図５Ｅおよび図５Ｆの矢印４８で示される方向にシュラウド３４に押し付けられつつ嵌め込まれる。図４のアダプタコア３２の部分３２ａは、図５Ｅおよび図５Ｆに示されるように、部分３４ａでシュラウド３４に嵌め込まれて保持される。シュラウド３４の内周面には周方向に間隔をあけて複数の突起５０が形成される。突起５０に固有の柔軟な弾性によれば、アダプタコア３２の円周部４４の前側はテーパ状に形成されることから、突起５０は円周部４４を通過させることができる。その一方で、円周部４４の環状の平坦な裏面４４ａは突起５０でバイアスをかけて保持されることから、シュラウド３４の外側に向かって円周部４４の戻りは規制される。その結果、アダプタコア３２がシュラウド３４内にひとたび嵌め合わせられると、アダプタコア３２はシュラウド３４から取り外されることはできない。
【手続補正７】
【補正対象書類名】明細書
【補正対象項目名】００２０
【補正方法】変更
【補正の内容】
【００２０】
図５Ｇに最もよく示されるように、シュラウド３４には複数の傾斜止め５２がさらに形成される。傾斜止め５２は、止め面５２ｓが先端止め３８ｂに対してバイアスをかける方向でのアダプタコア３２の回転を規制する。実際には、ユーザがレセプタクル端２４でアダプタ３４を保持しながらシュラウド３４を回転させようとするとき、シュラウド３４は反時計回り方向にのみ回転することができる。ユーザがアダプタコア３２に対してシュラウド３４を時計回り方向に回そうとすると、アダプタコア３２はシュラウド３４と一緒に必ず回転してしまう。
【手続補正８】
【補正対象書類名】明細書
【補正対象項目名】００２１
【補正方法】変更
【補正の内容】
【００２１】
操作にあたって、例えば図１に示されるシリンジ２８といった液体容器のルアー端に対してアダプタ２０のルアー端２４が時計回りに回転させられると、アダプタ２０は液体容器に簡単に結合されることができる。しかしながら、シュラウド３４はアダプタコア３２およびシリンジ２８の一体的な動きから独立して動く一方で（非回転または回転）、アダプタコア３２はシリンジ２８と一緒に動く（非回転または回転）ことから、例えばシリンジ２８に対して反時計回りの方向にアダプタ２０（特にシュラウド３４）が回転させられても、シリンジ２８からアダプタ２０を取り外すことはできない。その結果、シリンジ２８がアダプタ２０にひとたび結合されると、結合状態が維持される。しかも、注射針ハブ４は、アダプタ２０のレセプタクル端３６の形態にのみ補完的に結合する形態を有する。したがって、異なるシリンジが注射針アセンブリ２に誤って結合される可能性は排除される。
【手続補正９】
【補正対象書類名】図面
【補正対象項目名】図１
【補正方法】変更
【補正の内容】
【図１】
2009525067.tif 000001
【手続補正１０】
【補正対象書類名】図面
【補正対象項目名】図３Ａ
【補正方法】変更
【補正の内容】
【図３Ａ】
2009525067.tif 000002
【手続補正１１】
【補正対象書類名】図面
【補正対象項目名】図５Ｅ
【補正方法】変更
【補正の内容】
【図５Ｅ】
2009525067.tif 000003
【手続補正１２】
【補正対象書類名】図面
【補正対象項目名】図５Ｆ
【補正方法】変更
【補正の内容】
【図５Ｆ】
2009525067.tif 000004